(57)【特許請求の範囲】
【請求項１】
同一の原稿から電子出版用データと印刷用データを、電子出版用のデータを選択抽出する画面表示用データ展開機構と、印刷用データを選択抽出する印刷用データ展開機構とを有する装置を用いて生成する方法であって、
本文データと付随情報が記入された原稿に対して
画面表示用データ展開機構が選択された場合には、原稿を１行ずつ改行コードまでの文字データを読み込み、
印刷用データであることを示すマーク及び文字列を検出した場合には本文または付随情報として展開せず、
表示用データであることを示すマーク及び文字列を検出した場合には、そのまま本文に展開し、
ボタンデータを示すマーク及び文字列を検出した場合には、その文字列は展開せず、その文字列の次の文字列を付随情報を呼び出すためのボタンの制御情報として記録し、
付随データを示すマーク及び文字列を検出した場合には、付随情報として本文とは別に展開し、付随データを示す文字列の次の文字列を付随情報のキーワードとして記憶し、
上記各マーク及び文字列が検出されない場合には、本文に展開することで画面表示用データを生成し、
印刷用データ展開機構が選択された場合には、原稿を１行ずつ改行コードまでの文字データを読み込み、
表示用データであることを示すマーク及び文字列を検出した場合には、本文または付随情報として展開せず、
印刷用データであることを示すマーク及び文字列を検出した場合には、そのまま本文に展開し
付随データを示すマーク及び文字列を検出した場合には、本文中に付随的な情報であることが分かるように展開し、
上記各マーク及び文字列が検出されない場合には、本文に展開することで印刷用データを生成することを特徴とする同一の原稿から電子出版データと印刷用データを生成する方法。
【請求項２】
同一の原稿から電子出版用データと印刷用データを生成する生成装置であって、
本文データと付随情報が記入された原稿に対して、電子出版用のデータを選択抽出する画面表示用データ展開機構と、印刷用データを選択抽出する印刷用データ展開機構とを有し、
前記画面表示用データ展開機構は、表示用データであることを示すマーク及び文字列の検出を行い、検出した場合には、そのまま本文に展開する表示マーク検出部と、
ボタンデータを示すマーク及び文字列の検出を行い、検出した場合には、その文字列は展開せず、その文字列の次の文字列を付随情報を呼び出すためのボタンの制御情報として記録するボタン制御検出部と、
付随データを示すマーク及び文字列の検出を行い、検出した場合には付随情報として本文とは別に展開し、付随データを示す文字列の次の文字列を付随情報のキーワードとして記憶する付随情報検出部と、
上記各マーク及び文字列を有しない本文データを検出して本文に展開する本文検出部とを備え、
前記印刷用データ展開機構は、印刷用データであることを示すマーク及び文字列の検出を行い、検出した場合にはそのまま本文に展開する印刷マーク検出部と、
付随データを示すマーク及び文字列の検出を行い、検出した場合には、本文中に付随的な情報であることが分かるように展開する付随情報検出部と、
上記各マーク及び文字列を有しない本文データを検出して本文に展開する本文検出部とを備えたことを特徴とする同一の原稿から電子出版用データと印刷用データを生成する生成装置。
【発明の詳細な説明】
【０００１】
【産業上の利用分野】
本発明は、同一の原稿から電子出版用の出版物と、印刷用の異なった出版物を生成可能とした電子出版用データと印刷用データを得るものに関する。
【０００２】
【従来の技術】
近年の出版物としては、読者が紙面に印刷されたものを読む印刷出版物のみならず、ＣＲＴ、液晶、プラズマディスプレイ等の表示画面に表示させたものを読むＣＤ−ＲＯＭ出版、ネットワーク出版等の電子出版物がある。しかし、印刷出版物と電子出版物では、メディアの特性が異なるため、同じ情報でも表現形態を変えることが望ましい。
【０００３】
例えば出版内容に本文の部分と付随的な部分があるような場合、表現密度は低いが表示内容の切り替えが自由な画面表示装置用である電子出版物では、本文は全体を表示するものの付随的な情報はタイトルだけ表示しておき、読みたいと思うユーザにより指示されたとき初めてその内容を表示するような表示制御方法が望ましい。逆に、表現密度は高いが、内容の切り替えができない印刷物では、付随情報も最初から本文とともに印刷することが必要である。
【０００４】
このような、内容は同じであるが媒体の違いにより表現形態の異なる情報の原稿作成工数の削減、保守性向上、品質確保のために、一本の原稿から別々の表現形態の出版物を生成できることが要求される。
【０００５】
しかし従来では、形式の異なる電子出版物用の表現と、印刷物用の表現のためには、それぞれ別個の原稿を用意しなければならなかった。
【０００６】
【発明が解決しようとする課題】
このように、同じ内容であるにもかかわらず、形式だけが異なる電子出版物用の原稿と印刷物用の原稿との２本の原稿を用意することは、原稿作成工数が二重にかかるのみならず、内容が変更になった場合の保守性が悪かった。つまり品質を保つために、双方を同時に正しく修正するため、細心の管理と注意が必要となっていた。
【０００７】
従って本発明の目的は、最小限の印付けをした一本の原稿から電子出版物と印刷物の双方の出版物を生成可能にすることにより、原稿の作成工数を低減し、保守性を向上させ、品質確保を容易にするものである。
【０００８】
【課題を解決するための手段】
前記目的を達成するため、本発明では、図１に示す如く、原稿１について、電子出版物（画面表示用）でも印刷物でも必ず出力する共通の部分に対しては、マークを付けない。しかし画面表示専用の展開部分の開始点と終了点と、印刷専用展開部分の開始点と終了点と、付随的な情報の開始点と終了点を示す印２を原稿１のそれぞれの部分に付ける。
【０００９】
画面表示用データ展開機構３は、原稿１を読み取り、例えばその第１行〜第３行に記載されたマークの付けられていない共通の部分と、表示専用部分と、印刷専用部分の一部である付随情報部分を抽出し、電子出版物５を作る。
【００１０】
印刷用データ展開機構４は、原稿１を読み取り、共通部分と、印刷専用部分を展開して印刷物６を作る。
【００１１】
【作用】
この電子出版物５を、後述する表示装置で表示するとき、表示装置は電子出版物５の中の本文データ７を画面上に表示する。このとき、ボタン９も表示する。ユーザがこのボタン９を、例えばマウスによるポインタで指示すれば、付随情報表示ウインドウを表示して、付随情報８を表示する。
【００１２】
【実施例】
本発明の一実施例を図２及び図３に基づき説明する。図２は本発明の一実施例構成図、図３はその電子出版物に対する表示状態説明図である。
【００１３】
図中、他図と同記号は同一部を示し、１は原稿、２は印、３は画面表示用データ展開機構、４は印刷用データ展開機構、５は電子出版物、６は印刷物、７は本文データ、８は付随情報、９はボタン、１０はウインドウ、１１はポインタ、１２はボタン、１３はウインドウ、１４は表示・制御機構、２０はデータ展開機構、２１は記憶部である。
【００１４】
原稿１は電子出版物５及び印刷物６として出版される本文や付随情報が記入される外に、電子出版物５のみの部分、印刷物６のみの部分、印刷物６のみならず電子出版物５にも使用される部分等を示すための印２及びこの印２と一緒に使用される「表示」、「印刷」、「アドバイス」等の文字列、ボタン９の制御情報を示す「ポップアップ」等の文字列等が記入される。そしてこの原稿１は、例えばワードプロセッサやパーソナルコンピュータ等の文書作成手段で作成される。
【００１５】
画面表示用データ展開機構３は原稿１を読み込み電子出版物５を作成するものであり、「▼表示」、「▲表示」を検出する表示マーク検出部３−１と、行中に「≪ポップアップ」という文字列を検出したとき、この文字列は展開せず、その右側の部分を下線付きで展開し、付随情報を呼び出すためのボタンの制御情報として記録するボタン制御検出部３−２と、「▲表示」の直後に「▼印刷」、「▼アドバイス〜」と続いたことを検出した場合には、「▼アドバイス〜」と「▲アドバイス」までの間を付随情報として本文とは別に展開し、「▼アドバイス」の右側の文字列を付随情報のキーワードとして記憶する付随情報検出部３−３と、これら以外の部分をそのまま本文に展開する本文検出部３−４等を具備する。
【００１６】
印刷用データ展開機構４は原稿１を読み込み原稿１中の表示／印刷共通部分と印刷専用部分を展開して紙の出版物つまり印刷物６を作成するものであり、「▼印刷」、「▲印刷」、「▼表示」、「▲表示」を検出してこれらの「▲印刷」から「▼印刷」までの間はそのまま本文に展開しまた「▼表示」から「▲表示」までの間は展開しない印刷マーク検出部４−１と、「▼アドバイス」、「▲アドバイス」を検出して「▼アドバイス」から「▲アドバイス」の間は本文中に付随的な情報であることが分かるレイアウトにして、例えば小さな文字で印刷するとか、点線枠で囲むとか等の手法により印刷制御する付随情報検出部４−２と、これら以外の部分をそのまま本文に展開する本文検出部４−３等を具備する。
【００１７】
電子出版物５は、ユーザがＣＲＴ、液晶、プラズマディスプレイ等の表示画面に表示させて読むものであり、例えばＣＤ−ＲＯＭ出版とか、ネットワークのサーバ等に共通に保持されてパソコン等により読み出せるネットワーク出版である。この電子出版物５は本文データ７と付随情報８により構成され、通常は本文データ７のみが表示画面に表示され、付随情報８は、ユーザが電子出版物５の本文データ７を表示画面で読みながら、画面上のポインタでそれを呼び出すためのボタン９を指示して要求したときに初めて表示画面に表示される。
【００１８】
印刷物６は原稿１を紙で印刷出版されたものであって、本文つまり表示／印刷共通部分と印刷専用部分が印刷されるものである。このとき、付随的な情報は、例えば小さな文字で印刷されるとか、点線枠で囲むとか適宜の手法により本文に対する付随的な情報であることがわかるようなレイアウトにして印刷される。
【００１９】
ウインドウ１０は、ユーザが電子出版物５をパーソナルコンピュータやワークステーション等で読み出すときに表示画面に出力されるものであり、本文データが出力されるものである。このとき、図２に示された前記ボタン９の部分もウインドウ１０内に、例えばボタン１２に示す如く、反転表示等により表示される。
【００２０】
ポインタ１１は、読者が付随情報を読み出す場合に、読み出したい付随情報に対応するボタン１２を例えばマウス等により選択指示するものである。
ウインドウ１３は、前記選択指示されたボタン１２に対応する付随情報８が表示画面に出力されるものである。
【００２１】
表示・制御機構１４は電子出版物からその本文データ７を表示画面のウインドウ１０に表示するとともにそのボタン９の部分を例えば反転表示したり、ウインドウ１０に表示されたボタン１２がポインタ１１により選択指示されたとき、これに応じた付随情報をウインドウ１３に表示する等の制御を行うものである。
【００２２】
データ展開機構２０は原稿１を読み取り、電子出版物５又は印刷物６を作成すするための制御を行うものであり、前記画面表示用データ展開機構３及び印刷用データ展開機構４を具備するものである。これら画面表示用データ展開機構３と印刷用データ展開機構４は選択制御信号Ｓにより選択的に動作制御される。
【００２３】
記憶部２１は、前記画面表示用データ展開機構３又は前記印刷用データ展開機構４がそれぞれ電子出版物５又は印刷物６を作成するときに必要なデータを保持するものである。
【００２４】
次に本発明の動作について説明する。
Ａ．原稿の作成について
ユーザは、図２に示す如き、電子出版物５及び印刷物６に対して共通の原稿１を、例えばパーソナルコンピュータの文書作成機能を使用して作成する。このとき、電子出版物５及び印刷物６に対して共通の本文部分には何も印を付けない。
【００２５】
また、電子出版物５に対してのみ本文に展開する部分については「▼表示」、「▲表示」を付加する。付随情報を呼び出すためのボタンの部分に対しては「≪ポップアップ」という文字列の次に例えば「アドバイス−別の操作方法≫」の如く、入力する。
【００２６】
印刷物６に印刷したいものには「▼印刷」、「▲印刷」を付加する。また本文に付随的な情報に対しては「▼アドバイス〜▲アドバイス」を付加する。
Ｂ．電子出版物の作成について
電子出版物５を作成するとき、図２に示すデータ展開機構２０に画面表示用データ展開機構３を選択する選択制御信号Ｓ（例えばＨレベル）を印加する。これにより画面表示用データ展開機構３が動作して原稿１を１行ずつ、改行コードまでの文字データの塊ごと、読み込み下記の動作を行う。
【００２７】
（１）表示マーク検出部３−１が「▼表示」、「▲表示」を検出し、「▼表示」及び「▲表示」までの間はそのまま本文に展開する。
（２）ボタン制御検出部３−２は行中に「≪ポップアップ」という文字列を検出し、この文字列があった場合は、その文字列は展開せず、その右側の部分、図２の例では「アドバイス−別の操作方法」を下線付きで展開し、付随情報を呼び出すためのボタンの制御情報として記録する。
【００２８】
（３）付随情報検出部３−３は、「▼印刷」、「▲印刷」を検出するが、「▼印刷」から「▲印刷」までの間は展開しない。ただし「▲表示」の直後に「▼印刷」、「▼アドバイス〜」と続いたことを検出し、「▼アドバイス〜」と「▲アドバイス」の間を付随情報として本文とは別に展開し、「▼アドバイス」の右側の文字列を付随情報のキーワードとして記憶する。
【００２９】
（４）これら以外の部分は、本文検出部３−４がそのまま本文に展開する。
これにより原稿１から電子出版物５が作成される。
Ｃ．印刷物の作成について
印刷物６を作成するとき、データ展開機構２０に印刷用データ展開機構４を選択する選択制御信号Ｓ（例えばＬレベル）を印加する。これにより印刷用データ展開機構４が動作して原稿を１行ずつ、改行コードまでの文字データの塊ごと、読み込み、下記の動作を行う。
【００３０】
（１）印刷マーク検出部４−１は、「▼印刷」、「▲印刷」を検出して、「▼印刷」から「▲印刷」までの間はそのまま本文に展開する。また「▼表示」、「▲表示」を検出するが、これら「▼表示」から「▲表示」までの間は展開しない。
【００３１】
（２）付随情報検出部４−２は、「▼アドバイス」、「▲アドバイス」を検出し、「▼アドバイス〜」から「▲アドバイス」の間は本文中に付随的な情報であることが分かるような、例えば小さい文字で印刷するとか、点線枠で囲む等のレイアウトにして展開する。
【００３２】
（３）これら以外の部分は、本文検出部４−３がそのまま本文に展開する。これにより原稿１から印刷物６が得られる。
Ｄ．電子出版物の表示について
（１）前記の如く作成された電子出版物５をユーザが読む場合、図３に示す如く、表示・制御機構１４がその本文データ７を読み取り、表示画面上の本文表示用のウインドウ１０にこれを表示する。そのとき、付随情報を呼び出すためのボタン９も、ボタン１２の如く、例えば反転表示等の手法により、本文と区別できるように表示し、またユーザが操作できるポインタ１１を出してユーザの指示を待つ。
【００３３】
（２）ポインタ１１によりボタン１２が指示されたとき、表示・制御機構１４はその指示されたボタン１２を判断し、それに対応した付随情報８を、付随情報表示用のウインドウ１３を表示して、これに出力表示する。
【００３４】
前記説明では、本文が取扱説明書の例について説明したが、本文の内容はこのようなものに限定されるものではない。
また付随情報を「アドバイス」を使用して示した例について説明したが本発明は勿論これに限定されるものではなく、例えば「コラム」等の他のものを使用することができる。なお付随情報は１つではなく、図４に示す如く、複数用意することができる。
【００３５】
またテキスト印刷のアイテムとして☆を使用した例について説明したが、勿論これに限定されるものではなく表示又は印刷される内容はなんでもかまわない。
【００３６】
【発明の効果】
請求項１に記載された本発明によれば、一本の原稿から表現形態の異なる電子出版物と印刷物という２本の出版物を作成することができ、出版物の開発効率、保守性、信頼性を向上することができる。
【００３７】
請求項２に記載された本発明によれば、一本の原稿から表現形態の異なる電子出版物と印刷物という２本の出版物を選択的に作成することができるので、媒体の違いにより表現形態の異なる情報の原稿作成工数の削減、保守性の向上、品質確保をはかることができる。
【図面の簡単な説明】
【図１】本発明の原理説明図である。
【図２】本発明の一実施例構成図である。
【図３】本発明により作成された電子出版物の表示説明図である。
【図４】付随データ説明図である。
【符号の説明】
１  原稿
２  印
３  画面表示用データ展開機構
４  印刷用データ展開機構
５  電子出版物
６  印刷物
７  本文データ
８  付随情報
９  ボタン
１０  ウインドウ
１１  ポインタ
１２  ボタン
１３  ウインドウ
１４  表示・制御機構
２０  データ展開機構
２１  記憶部
【図１】
0003710841.tif 000002
【図２】
0003710841.tif 000003
【図３】
0003710841.tif 000004
【図４】
0003710841.tif 000005